(57)【要約】【課題】分散型の発電システムによって発電された電力の余剰分を、効率よく利用する。【解決手段】発電ユニット１１によって発電された発電電力と、電気機器ＬＤ１〜ＬＤ４によって消費された消費電力とを計測し、計測結果を記憶ユニット１６へ順次保存する。次に、記憶ユニット１６に保存された発電電力の履歴と、消費電力の履歴とに基づいて、発電ユニット１１によって発電された発電電力の余剰分の推移を推測する。そして、推測した結果を表示ユニット１７に表示させる。また、余剰分の推移を考慮して、電気機器ＬＤ１〜ＬＤ４を運転する。【選択図】図１
2011229208.tif 000002
【特許請求の範囲】
【請求項１】
住戸に引き込まれた電力系統に接続された発電手段と、
前記発電手段によって発電される発電電力を計測する第１計測手段と、
前記住戸内で消費される消費電力を計測する第２計測手段と、
前記発電電力及び前記消費電力に関する情報を時系列的に記憶する記憶手段と、
前記記憶手段に記憶された前記発電電力の履歴と前記消費電力の履歴とに基づいて、余剰電力の推移を予測する予測手段と、
前記予測手段による予測結果を表示する表示手段と、
を備える電力管理システム。
【請求項２】
前記予測結果に基づいて、前記余剰電力で動作可能な電気機器を抽出する抽出手段を備え、
前記表示手段は、前記抽出手段の抽出結果を表示する請求項１に記載の電力管理システム。
【請求項３】
前記予測結果に基づいて、前記余剰電力で動作可能な電気機器を制御する制御手段を備える請求項１又は２に記載の電力管理システム。
【請求項４】
ユーザによって前記電気機器が運転される際に、前記予測結果に基づいて、後の時間帯に発生すると予測される余剰電力で、前記電気機器が運転できると判断した場合に、前記ユーザに、前記後の時間帯での前記電気機器の運転を提案する提案手段を備える請求項１乃至３のいずれか一項に記載の電力管理システム。
【請求項５】
前記制御手段は、ユーザによって前記電気機器が運転される際に、前記予測結果に基づいて、後の時間帯に発生すると予測される余剰電力で、前記電気機器が運転できると判断した場合に、前記後の時間帯に前記電気機器を運転する請求項３に記載の電力管理システム。
【請求項６】
前記住戸内の温度及び湿度のうちの少なくとも１つの環境情報を取得する環境情報取得手段を備え、
前記制御手段は、前記環境情報と前記予測結果に基づいて、前記余剰電力で空気調和装置を優先的に運転する請求項３に記載の電力管理システム。
【請求項７】
前記制御手段は、前記予測結果に基づいて、余剰電力が発生しないと判断した場合に、前記電気機器の運転を抑制する請求項３に記載の電力管理システム。
【請求項８】
コンピュータを、
発電手段によって発電される発電電力に関する情報を取得する手段、
住戸内で消費される消費電力に関する情報を取得する手段、
前記発電電力及び前記消費電力に関する情報を時系列的に記憶する手段、
前記記憶手段に記憶された前記発電電力の履歴と前記消費電力の履歴とに基づいて、余剰電力の推移を予測する手段、
予測した結果を表示する手段、
として機能させるプログラム。
【発明の詳細な説明】
【技術分野】
【０００１】
本発明は、電力管理システム及びプログラムに関し、更に詳しくは、電気機器を余剰電力に基づいて運転するための電力管理システム及びプログラムに関する。
【背景技術】
【０００２】
近年の地球温暖化や、世界規模で進行する経済産業の発展にともない、エネルギー消費量の削減を目的とする取り組みが重要視されている。このような背景から、太陽光発電システムに代表される分散型の発電システムが普及している。
【０００３】
この種の分散型発電システムの稼働時間や発電量は、天候などによって左右される。このため、分散型発電システムは、ユーザの要求に応じて電力を供給することが困難になる場合がある。そこで、分散型発電システムの稼働状況や発電量等を、グラフなどを用いてユーザに表示する表示システムが提案されている（例えば特許文献１及び２参照）。この表示システムを用いることにより、ユーザは、現在の発電量を正確に把握することができ、効率よく電力を使用することが可能となる。
【先行技術文献】
【特許文献】
【０００４】
【特許文献１】特許第３３９４９５８号公報
【特許文献２】特開２００４−３５０３５９号公報
【発明の概要】
【発明が解決しようとする課題】
【０００５】
家屋などに設置された分散型の発電機による発電量が、家庭内で消費される電力量を超えた場合には、余剰電力を効率よく電力系統に潮流させることが必要になる。しかしながら、電力系統に余剰電力を潮流させることができない場合には、余剰電力が無駄になるおそれがある。
【０００６】
本発明は、上述の事情の下になされたもので、分散型の発電システムによって発電された電力の余剰分を、効率よく利用することを目的とする。
【課題を解決するための手段】
【０００７】
上記目的を達成するために、本発明の電力管理システムは、
住戸に引き込まれた電力系統に接続された発電手段と、
前記発電手段によって発電される発電電力を計測する第１計測手段と、
前記住戸内で消費される消費電力を計測する第２計測手段と、
前記発電電力及び前記消費電力に関する情報を時系列的に記憶する記憶手段と、
前記記憶手段に記憶された前記発電電力の履歴と前記消費電力の履歴とに基づいて、余剰電力の推移を予測する予測手段と、
前記予測手段による予測結果を表示する表示手段と、
を備える。
【発明の効果】
【０００８】
本発明によれば、発電電力及び消費電力の計測結果に基づいて、余剰電力の推移が予測される。これにより、余剰電力量を正確に把握し、効率よく利用することが可能となる。
【図面の簡単な説明】
【０００９】
【図１】第１の実施形態に係る電力管理システムのブロック図である。
【図２】発電電力及び消費電力の推移を示す図である。
【図３】余剰電力の推移を示す図（その１）である。
【図４】余剰電力の推移を示す図（その２）である。
【図５】第２の実施形態に係る電力管理システムのブロック図である。
【図６】余剰電力で運転することが可能な電気機器についてのリストを示す図である。
【図７】第３の実施形態に係る電力管理システムのブロック図である。
【図８】第４の実施形態に係る電力管理システムのブロック図である。
【図９】第５の実施形態に係る電力管理システムのブロック図である。
【発明を実施するための形態】
【００１０】
《第１の実施形態》
以下、本発明の第１の実施形態を、図面を参照しつつ説明する。図１は本実施形態に係る電力管理システム１０Ａのブロック図である。電力管理システム１０Ａは、発電ユニット１１によって発電された電力の余剰分を、電力系統１００に接続された電気機器ＬＤ１〜ＬＤ４に効率よく供給するためのシステムである。図１に示されるように、この電力管理システム１０Ａは、発電ユニット１１、発電量計測ユニット１２、使用電力計測ユニット１３、余剰電力予測ユニット１４、稼働電気機器
検出ユニット１５、記憶ユニット１６、表示ユニット１７、及び上記各部を相互に接続するバス３０を有している。
【００１１】
電気機器ＬＤ１〜ＬＤ４それぞれは、電力系統１００から分岐した電力系統１０２に接続されている。これらの電気機器ＬＤ１〜ＬＤ４は、例えば、空調装置、照明装置、炊飯器及び電磁調理器などである。
【００１２】
発電ユニット１１は、電力系統１００から分岐した電力系統１０１に接続されている。この発電ユニット１１は、例えば電気機器ＬＤ１〜ＬＤ４が設置された住戸の屋根に配置された太陽電池、及び太陽電池からの直流出力を交流出力に変換するインバータ等を有している。そして、発電ユニット１１は、発電した電力を、電力系統１０１を介して電力系統１００に出力する。
【００１３】
発電量計測ユニット１２は、発電ユニット１１から出力される電力（瞬時値）Ｐ１を、適当な周期で計測する。そして、計測した電力Ｐ１と、計測時刻ｔとを関連付けることによりデータＰ１（ｔ）を生成する。そして、このデータＰ１（ｔ）を、記憶ユニット１６へ出力する。
【００１４】
使用電力計測ユニット１３は、電気機器ＬＤ１〜ＬＤ４全体に供給される電力Ｐ２と、電気機器ＬＤ１〜ＬＤ４それぞれに供給される電力Ｐ２１〜Ｐ２４を、適当な周期で計測する。そして、計測した電力Ｐ２，Ｐ２１〜Ｐ２４と、計測時刻ｔとを関連付けることによりデータＰ２（ｔ）、Ｐ２１（ｔ）〜Ｐ２４（ｔ）を生成する。そして、このデータＰ２（ｔ）、Ｐ２１（ｔ）〜Ｐ２４（ｔ）を、記憶ユニット１６へ出力する。
【００１５】
余剰電力予測ユニット１４は、記憶ユニット１６に記憶されたデータＰ１（ｔ）、Ｐ２（ｔ）、Ｐ２１（ｔ）〜Ｐ２４（ｔ）に基づいて、今後の余剰電力の推移を予測する。
【００１６】
例えば、データＰ１（ｔ）は、横軸を時刻ｔ、縦軸を電力とする座標系上では、図２に示されるように実線で表される。また、データＰ２（ｔ）は、破線で表される。余剰電力予測ユニット１４は、例えば前日の０時から２４時までに取得したデータＰ１（ｔ），Ｐ２（ｔ）について、データＰ１（ｔ）の値が、データＰ２（ｔ）の値を上回る範囲、例えば図２における時刻ｔ１から時刻ｔ２までの範囲に取得したデータＰ１（ｔ），Ｐ２（ｔ）について、次式（１）で示される演算を行い、データＰ３（ｔ）を生成する。
【００１７】
Ｐ３（ｔ）＝Ｐ１（ｔ）−Ｐ２（ｔ）  …（１）
【００１８】
図３は、データＰ３（ｔ）を示す図である。このデータＰ３（ｔ）は、前日の余剰電力の推移を示す。余剰電力予測ユニット１４は、データＰ３（ｔ）を生成すると、データＰ３（ｔ）を、余剰電力の予測結果として、記憶ユニット１６に出力する。
【００１９】
図１に戻り、稼働電気機器検出ユニット１５は、電気機器ＬＤ１〜ＬＤ４それぞれの稼働状況を検出する。例えば稼働電気機器検出ユニット１５は、例えば、使用電力計測ユニット１３によって計測された電流波形と、予め記憶した電気機器ＬＤ１〜ＬＤ４が動作したときの電流波形とを比較する。そして、稼働電気機器検出ユニット１５は、電気機器ＬＤ１〜ＬＤ４から出力される電流波形に該当する電流波形を検出した場合に、電気機器ＬＤ１〜ＬＤ４が運転していると判断し、判断結果を記憶ユニット１６へ出力する。なお。この判断方法は、非侵入型稼働機器方式として広く知られている方法である。
【００２０】
記憶ユニット１６は、ＲＯＭ（Read Only Memory）、ハードディスク、磁気ディスク、半導体メモリ等を有している。記憶ユニット１６は、発電量計測ユニット１２、使用電力計測ユニット１３、余剰電力予測ユニット１４、及び稼働電気機器検出ユニット１５等から出力されるデータを記憶する。
【００２１】
表示ユニット１７は、ＣＲＴ（Cathode Ray Tube）またはＬＣＤ（Liquid Crystal Display）等を有している。この表示ユニット１７は、記憶ユニット１６から、余剰電力予測ユニット１４によって予測された予測結果を読み出して、例えば現在時刻ｔＲ以降の予測結果を表示する。具体的には、図４に示されるように、現在時刻ｔＲ以降の余剰電力の推移を示す曲線を表示する。
【００２２】
以上説明したように、本実施形態では、表示ユニット１７に、現在時刻以降の余剰電力の推移を示す曲線が表示される。このため、ユーザは、余剰電力の推移を勘案しつつ、電気機器ＬＤ１〜ＬＤ４を運転することができる。したがって、発電ユニット１１によって発電された電力の余剰分を、効率よく利用することが可能となる。
【００２３】
また、本実施形態において、余剰電力の推移とともに、電気機器ＬＤ１〜ＬＤ４の稼働状況を表示することとしてもよい。これにより、ユーザは、余剰電力で運転する電気機器を、容易に決定することが可能となる。
【００２４】
《第２の実施形態》
次に、本発明の第２の実施形態について説明する。なお、上記第１の実施形態と同一又は同等の構成については、同等の符号を用いるとともに、その説明を省略又は簡略する。図５は、第２の実施形態に係る電力管理システム１０Ｂのブロック図である。図５を参照するとわかるように、電力管理システム１０Ｂは、管理ユニット１８を有している点で、第１の実施形態に係る電力管理システム１０Ａと相違する。
【００２５】
管理ユニット１８は、稼働電気機器検出ユニット１５によって検出された電気機器ＬＤ１〜ＬＤ４それぞれの稼働状況の履歴と、各電気機器ＬＤ１〜ＬＤ４の稼働時の消費電力に関する情報Ｐ２１〜Ｐ２４に基づいて、余剰電力で運転可能な電気機器ＬＤ１〜ＬＤ４を抽出する。そして、抽出した電気機器ＬＤ１〜ＬＤ４のリストを作成する。例えば、余剰電力が図４に示されるように推移する場合には、管理ユニット１８は、図６に示すリストを作成する。このリストは、時刻ｔＲから時刻ｔＡまでの時間帯では、電気機器ＬＤ１，ＬＤ２を、余剰電力のみで運転することが可能であることを意味している。また、時刻ｔＡから時刻ｔＢまでの時間帯では、電気機器ＬＤ１〜ＬＤ３を、余剰電力のみで運転することが可能であることを意味している。また、時刻ｔＢから時刻ｔＣまでの時間帯では、電気機器ＬＤ１〜ＬＤ４を、余剰電力のみで運転することが可能であることを意味している。また、時刻ｔＣから時刻ｔＤまでの時間帯では、電気機器ＬＤ１〜ＬＤ３を、余剰電力のみで運転することが可能であることを意味している。
【００２６】
管理ユニット１８は、図６に示されるリストを作成すると、このリストに関する情報を記憶ユニット１６へ出力する。表示ユニット１７は、記憶ユニット１６へ出力されたリストに関する情報を読み出して、図６に示されるリストを表示する。
【００２７】
以上説明したように、本実施形態では、管理ユニット１８によって、余剰電力で運転可能な電気機器ＬＤ１〜ＬＤ４のリストが作成される。そして、このリストが表示ユニット１７によって表示される。これにより、ユーザは、余剰電力で運転することが可能な電気機器を、容易に選択し運転することができる。したがって、余剰電力を有効に利用することが可能となる。
【００２８】
なお、管理ユニット１８は、図６に示されるリストを作成する際に、現在の余剰電力を勘案してもよい。例えば、予測結果と実測値との差を算出し、この差を用いて予測結果を補正し、補正後の予測値に基づいて、上述のリストを作成してもよい。
【００２９】
《第３の実施形態》
次に、本発明の第３の実施形態について説明する。なお、上記各実施形態と同一又は同等の構成については、同等の符号を用いるとともに、その説明を省略又は簡略する。図７は、第３の実施形態に係る電力管理システム１０Ｃのブロック図である。図７を参照するとわかるように、電力管理システム１０Ｃは、運転ユニット１９を有している点で、上記各実施形態に係る電力管理システム１０Ａ，１０Ｂと相違する。
【００３０】
運転ユニット１９は、各電気機器ＬＤ１〜ＬＤ４を個別に運転することができる。この運転ユニット１９は、管理ユニット１８によって作成された図６に示されるリストに関する情報を、記憶ユニット１６から読み出す。そして、読み出した情報に基づいて、各電気機器ＬＤ１〜ＬＤ４を運転する。
【００３１】
例えば、運転ユニット１９は、図６に示されるリストに基づいて、時刻ｔＲから時刻ｔＡまでの時間帯で、電気機器ＬＤ１，ＬＤ２を運転する。また、時刻ｔＡから時刻ｔＢまでの時間帯で、電気機器ＬＤ１〜ＬＤ３を運転する。また、時刻ｔＢから時刻ｔＣまでの時間帯で、電気機器ＬＤ１〜ＬＤ４を運転する。また、時刻ｔＣから時刻ｔＤまでの時間帯で、電気機器ＬＤ１〜ＬＤ３を運転する。
【００３２】
以上説明したように、本実施形態では、運転ユニット１９によって、余剰電力で運転可能なリストに関する情報が読み出される。そして、この情報に基づいて余剰電力で運転可能な電気機器ＬＤ１〜ＬＤ４が運転される。これにより、余剰電力が発生する場合には、自動的に電気機器ＬＤ１〜ＬＤ４が運転される。したがって、余剰電力を有効に利用することが可能となる。
【００３３】
《第４の実施形態》
次に、本発明の第４の実施形態について説明する。なお、上記各実施形態と同一又は同等の構成については、同等の符号を用いるとともに、その説明を省略又は簡略する。図８は、第４の実施形態に係る電力管理システム１０Ｄのブロック図である。図８を参照するとわかるように、電力管理システム１０Ｄは、環境情報取得ユニット２０を有している点で、上記各実施形態に係る電力管理システム１０Ａ〜１０Ｃと相違する。
【００３４】
環境情報取得ユニット２０は、温度センサを介して、例えば電気機器ＬＤ１〜ＬＤ４が設置された空間の温度を検出する。また、湿度センサを介して、同様に電気機器ＬＤ１〜ＬＤ４が設置された空間の湿度を検出する。そして、環境情報取得ユニット２０は、取得した温度に関する情報と、湿度に関する情報とを記憶ユニット１６に出力する。
【００３５】
運転ユニット１９は、記憶ユニット１６から温度及び湿度に関する情報を読み出す。そして、温度及び湿度が所定の範囲にある場合には、例えば除湿機或いは空調機を優先的に運転する。
【００３６】
以上説明したように、本実施形態では、環境情報取得ユニット２０によって、電気機器ＬＤ１〜ＬＤ４が設置された空間の温度に関する情報と、湿度に関する情報とが検出される。そして、検出された温度及び湿度が所定の条件を満たす場合に、除湿器或いは空調機が優先的に運転される。したがって、余剰電力によって効果的に居住空間の環境を改善することが可能となる。
【００３７】
《第５の実施形態》
次に、本発明の第５の実施形態を、図面を参照しつつ説明する。なお、上記各実施形態と同一又は同等の構成については、同等の符号を用いるとともに、その説明を省略又は簡略する。
【００３８】
本実施形態に係る電力管理システム１０Ｅは、一般的なコンピュータ、又はマイクロコンピュータなどの装置と同様の構成を有している点で、上記各実施形態に係る電力管理システム１０Ａ〜１０Ｄと相違している。
【００３９】
図９は、電力管理システム１０Ｅの物理的な構成を示すブロック図である。図９に示されるように、電力管理システム１０Ｅは、ＣＰＵ（Central Processing Unit）１０ａ、主記憶部１０ｂ、補助記憶部１０ｃ、表示部１０ｄ、入力部１０ｅ、インタフェース部１０ｆ、及び上記各部を相互に接続するシステムバス１０ｇを有している。
【００４０】
ＣＰＵ１０ａは、補助記憶部１０ｃに記憶されているプログラムに従って、後述する処理を実行する。
【００４１】
主記憶部１０ｂは、ＲＡＭ（Random Access Memory）等を有し、ＣＰＵ１０ａの作業領域として用いられる。
【００４２】
補助記憶部１０ｃは、ＲＯＭ（Read Only Memory）、磁気ディスク、半導体メモリ等の不揮発性メモリを有している。この補助記憶部１０ｃは、ＣＰＵ１０ａが実行するプログラム、及び各種パラメータなどを記憶している。また、ＣＰＵ１０ａによる処理結果などを含む情報を順次記憶する。
【００４３】
表示部１０ｄは、ＣＲＴ（Cathode Ray Tube）またはＬＣＤ（Liquid Crystal Display）などを有し、ＣＰＵ１０ａの処理結果を表示する。
【００４４】
入力部１０ｅは、キーボードやマウス等のポインティングデバイスを有している。オペレータの指示は、この入力部１０ｅを介して入力され、システムバス３０ｇを経由してＣＰＵ１０ａに通知される。
【００４５】
インタフェース部１０ｆは、シリアルインターフェイスまたはＬＡＮ（Local Area Network）インタフェース等を有している。電力Ｐ１，Ｐ２，Ｐ２１〜Ｐ２４に関する情報は、このインタフェースを介して、補助記憶部１０ｃに出力される。
【００４６】
上述のように構成された電力管理システム１０Ｅでは、ＣＰＵ１０ａは、インタフェース部１０ｆに接続された計測器を介して、電力Ｐ１，Ｐ２，Ｐ２１〜Ｐ２４に関する情報を取得する。
【００４７】
次に、ＣＰＵ１０ａは、電力Ｐ１と、計測時刻ｔとを関連付けることによりデータＰ１（ｔ）を生成し、補助記憶部１０ｃに順次保存する。また、電力Ｐ２，Ｐ２１〜Ｐ２４と、計測時刻ｔとを関連付けることによりデータＰ２（ｔ）、Ｐ２１（ｔ）〜Ｐ２４（ｔ）を生成し、補助記憶部１０ｃに順次保存する。
【００４８】
次に、ＣＰＵ１０ａは、データＰ１（ｔ）、Ｐ２（ｔ）、Ｐ２１（ｔ）〜Ｐ２４（ｔ）に基づいて、今後の余剰電力の推移を予測する。具体的には、ＣＰＵ１０ａは、例えば前日の０時から２４時までに取得したデータＰ１（ｔ），Ｐ２（ｔ）について、データＰ１（ｔ）の値が、データＰ２（ｔ）の値を上回る範囲、例えば図２における時刻ｔ１から時刻ｔ２までの範囲に取得したデータＰ１（ｔ），Ｐ２（ｔ）について、上記式（１）で示される演算を行い、データＰ３（ｔ）を生成する。そして、ＣＰＵ１０ａは、例えば現在時刻ｔＲ以降のデータＰ３（ｔ）を表示部１０ｄに表示させる。これにより、表示部１０ｄには、図４に示されるように、余剰電力の推移を示すグラフが表示される。
【００４９】
以上説明したように、本実施形態では、表示部１０ｄに、現在時刻以降の余剰電力の推移を示すグラフが表示される。このため、ユーザは、余剰電力の推移を勘案しつつ、電気機器ＬＤ１〜ＬＤ４を運転することができる。したがって、発電ユニット１１によって発電された電力の余剰分を、効率よく利用することが可能となる。
【００５０】
なお、ＣＰＵ１０ａは、表示部１０ｄに、上述のグラフとともに、例えば図６に示されるリストを表示させてもよい。これにより、ユーザは、余剰電力で運転することが可能な電気機器を容易に選択して運転することが可能となる。
【００５１】
また、ＣＰＵ１０ａは、図６に示されるリストにしたがって、余剰電力で運転可能な電気機器ＬＤ１〜ＬＤ４を、自発的に運転してもよい。これにより、余剰電力が発生する場合には、自動的に電気機器ＬＤ１〜ＬＤ４が運転され、余剰電力が有効に利用される。
【００５２】
また、ＣＰＵ１０ａは、温度センサや湿度センサを介して、電気機器ＬＤ１〜ＬＤ４が設置された空間の温度や湿度を検出し、検出した温度や湿度が所定の条件を満たす場合に、例えば除湿機或いは空調機を優先的に運転してもよい。これにより、余剰電力によって効果的に居住空間の環境が改善される。
【００５３】
以上、本発明の実施形態について説明したが、本発明は上記実施形態によって限定されるものではない。
【００５４】
例えば、運転ユニット１９或いはＣＰＵ１０ａは、余剰電力が不足している場合には、運転の優先順位が低いものから順次運転を停止したり、出力を低下させたりすることとしてもよい。また、余剰電力が不足している場合に、ユーザが電気機器を新規に運転しようとしたときには、余剰電力の推移を参照して、余剰電力が十分な時間帯に当該電気機器を運転をすることを、提案することとしてもよい。この提案は、例えば表示ユニット１７或いは表示部１０ｄに、提案内容を表示させることによって、ユーザに通知することができる。
【００５５】
また、運転ユニット１９或いはＣＰＵ１０ａは、余剰電力で電気機器を動作させたときの電気料金と、余剰電力を売電したときの電気料金を比較して、表示ユニット１７或いは表示部１０ｄに表示させることとしてもよい。
【００５６】
また、上記各実施形態では、電力系統１０２に４つの電気機器ＬＤ１〜ＬＤ４が接続されている場合について説明した。これに限らず、電力系統１０２には、５つ以上の電気機器が接続されていてもよい。
【００５７】
また、上記各実施形態では、余剰電力を、前日の０時から２４時までに取得したデータＰ１（ｔ），Ｐ２（ｔ）に基づいて算出した。これに限らず、余剰電力を他の方法、例えば過去数日分のデータを用いて算出してもよい。
【００５８】
また、電力の計測方法は種々の方法が考えられる。例えば、各電気機器に接続された電線を通過する電力を直接計測する場合の他に、例えば、電気機器が消費電力を計測する機能を有している場合等には、ＣＰＵ１０ａ等は、当該電気機器と通信することにより、計測された電力についての情報を取得することとしてもよい。
【００５９】
また、上記各実施形態では、発電ユニット１１が太陽電池である場合について説明した。これに限らず、発電ユニット１１は、燃料電池、風力発電機、などの発電装置を有していてもよい。つまり、発電ユニット１１は、家屋や集合住宅等に配置された分散型の発電システムであってもよい。
【００６０】
本発明は、本発明の広義の精神と範囲を逸脱することなく、様々な実施形態及び変形が可能とされるものである。また、上述した実施形態は、本発明を説明するためのものであり、本発明の範囲を限定するものではない。
【産業上の利用可能性】
【００６１】
本発明の電力管理システム及びプログラムは、余剰電力を有効に利用するのに適している。
【符号の説明】
【００６２】
１０Ａ〜１０Ｅ  電力管理システム
１０ａ  ＣＰＵ
１０ｂ  主記憶部
１０ｃ  補助記憶部
１０ｄ  表示部
１０ｅ  入力部
１０ｆ  インタフェース部
１０ｇ  システムバス
１１  発電ユニット
１２  発電量計測ユニット
１３  使用電力計測ユニット
１４  余剰電力予測ユニット
１５  稼働電気機器検出ユニット
１６  記憶ユニット
１７  表示ユニット
１８  管理ユニット
１９  運転ユニット
２０  環境情報取得ユニット
３０  バス
３０ｇ  システムバス
１００  電力系統
１０１  電力系統
１０２  電気系統
ＬＤ１〜ＬＤ４  電気機器
【図１】
2011229208.tif 000003
【図２】
2011229208.tif 000004
【図３】
2011229208.tif 000005
【図４】
2011229208.tif 000006
【図５】
2011229208.tif 000007
【図６】
2011229208.tif 000008
【図７】
2011229208.tif 000009
【図８】
2011229208.tif 000010
【図９】
2011229208.tif 000011